【事件の表示】
　特願２００２−１８４１１８「図面検索支援装置および図面検索方法」拒絶査定不服審判事件〔平成１６年　１月２９日出願公開、特開２００４−　３０１２２〕について、次のとおり審決する。
【結　論】
　本件審判の請求は、成り立たない。
【理　由】
　　　
１．　手続の経緯
　　　
　本願の手続の経緯は次に示すとおりである。
　　　
平成１４年　６月２５日　特許出願。
平成１９年　８月　３日　拒絶理由通知（起案日）。
平成１９年１０月　２日　手続補正。
平成１９年１０月２９日　拒絶査定（起案日）。
平成１９年１２月　４日　拒絶査定不服審判請求。
平成１９年１２月　４日　手続補正。
　　　
　　　
２．　本願発明
　　　
　本願に係る発明（以下、「本願発明」という。）は、平成１９年１２月４日付けの手続補正書によって補正された明細書の特許請求の範囲の請求項１に記載された次のとおりのものである。
　　　
＜本願発明＞
「　複数の図面情報の中から所望の図面情報を検索する作業を支援する図面検索支援装置であって、
　図面情報の種類毎にあらかじめ用意された所定のアイコン画像を格納する格納手段と、
　前記複数の図面情報の各々の画像データから、部品の形状を示す線画が描画された描画領域を抽出し、抽出された描画領域内の線画の描線を強調したアイコンを生成する生成手段と、
　各図面情報の特徴量に基いて対応するアイコンの仮想空間内における配置位置を決定する配置手段と、
　前記仮想空間内に配置された前記複数の図面情報のアイコンを一括して表示する表示手段とを備え、
　前記生成手段は、各図面情報の種類に対応するアイコン画像を前記格納手段から取得し、得られたアイコン画像を用いてアイコンを生成し、前記表示手段は、該所定のアイコン画像を用いて生成された前記複数の図面情報のアイコンが配置された仮想空間を表示し、各アイコンの近傍に、前記部品の種類名、寸法、材質、または色を示す付加情報を表示することを特徴とする図面検索支援装置。」
　　　
　　　
３．　引用例
　　　
　原査定の拒絶の理由に引用された、本願出願前である平成１１年７月２日に頒布された刊行物である、特開平１１−１７５５３４号公報（以下、「引用例」という。）には、図面とともに以下の記載がある。
　　　
（ａ）　「　【要約】
【目的】 画像データベース中の画像の一覧性と検索の進行具合いがわかる画像検索方法を提供すること。
【構成】 画像の特徴量を抽出し、それらの特徴量から、統計処理等を行って、各画像の空間座標を決定する、決定された座標を用いてコンピュターグラフィクス等により、３次元空間中に画像アイコンを提示する。また、使用者の見えの移動要求に従って、空間の見えを自由に変更可能にする。」
　　　
（ｂ）　「　【特許請求の範囲】
【請求項１】複数の画像データを準備すること、該複数の画像データのそれぞれの原特徴量を抽出すること、該抽出された複数の原特徴量から描画のための特徴量を再構成すること、該再構成された描画特徴量から３次元座標値を算出すること、および、該算出された３次元座標値を基礎に３次元空間中のその座標に該当する場所に各画像データの画像またはそれらを縮小または簡約したパターンである画像アイコンを提示することにより使用者に画像を提示することを特徴とする画像検索方法。
【請求項２】前記画像アイコンが配置された３次元空間を使用者に表示するための見えを、使用者の行為の検出または使用者の操作によって、３次元空間中を任意に移動可能である請求項１記載の画像検索方法。
【請求項３】前記複数の画像の再構成された描画特徴量からの３つの特徴量への再構成を、複数の画像の再構成された描画特徴量を統計的に処理することによって決定する請求項１記載の画像検索方法。」
　　　
（ｃ）　「　【発明の詳細な説明】
【０００１】
【発明の属する技術分野】本発明は、画像検索方法およびその装置およびこれを利用した検索サービスに関する。
【０００２】
【従来の技術】従来の類似画像検索方法においては、データベースとして特徴量があらかじめ導出された画像データを有する計算機に質問画像を一つ入力し、質問画像から算出される特徴量と画像データベースの各画像の特徴量とを比較し、類似している順に順位づけして、その順位にしたがって提示装置が許す範囲の枚数で使用者に画像を提示する方法が一般的である。また、その提示された画像から適当な画像を再び選んで、これを質問画像として、検索を繰り返す方法が用いられている。
【０００３】また、使用者に対する画像の提示手法には、複数の画像をなるべく見やすく表示するために、例えば、特開平５−２８２３７５に示されるように、特徴量の値に従って画面に縮小表示する工夫がなされているが、これらの手法は、平面上の表示でしかない。
【０００４】
【発明が解決しようとする課題】従来の方法においては、画像の類似性の判断は全て計算機に備えられる認識システムに委ねられている。しかしながら、画像の認識を多くの種類の画像からなるデータベースに対して計算機の認識システムのみで類似性の判断を行うことは困難な問題である。さらに、画像の類似性は、使用者の検索目的によって異なるものであるから、計算機の認識システムの判断は、その検索目的に対応した柔軟なものである必要があるが、認識システムがそれに完全に応えるのは困難である。
【０００５】すなわち、上記類似画像検索方法における類似画像提示、選択、検索の繰り返しでは、使用者が意図している画像に近付いているのかどうかを知る手段はない。従って、マッチングする特徴量が適切でない場合、検索を何度繰り返し行っても、同じ画像が交互に検索されるなどの現象が生じ、使用者の意図を満足させられる画像にたどりつけないという検索の失敗が生じるケースもある。
【０００６】このような失敗を避けるためには、扱っている画像データベースの内容に関する一覧性をできる限り高く、使用者に提供すること、また、検索の進行具合いがわかるような提示方法が望ましい。そのような目的を持った提示手法として、上記従来の技術の項で示したように、平面上に一定の大きさを持った画像を多数配置する手法があるが、平面上での提示のため、大量画像の場合に画像間に重なりが起きやすく、一覧性の確保という点で使用者への最大限の情報の提示を行える手法とはなっていない。
【０００７】
【課題を解決するための手段】本発明は、画像の特徴量から、各画像の空間座標を決定し、コンピュターグラフィクス等の技術を用いて、３次元空間中に画像アイコンを提示することによって、画像データベースの内容の一覧性を向上させた検索システムを提供する。また、使用者の意図に対応した視点の移動を可能にすることによって、使用者がデータベース中を移動する感覚による探索を実現する。またその手段により、検索の進行具合いが分かる画像検索方法を提供する。
【０００８】本発明では、画像データベース中の各画像から、色分布、エッジ分布等の各種特徴量を抽出し、抽出された各画像からの特徴量を用いて統計処理を行うことによって、各画像の特徴量の成分を目的の３成分へ変換する。その変換に基づいて、原特徴量を３つの特徴量に変換し、それらを３次元座標とみなして、画像アイコンを対応する３次元位置に配置したコンピュータグラフィックスを生成する。
【０００９】そのコンピュータグラフィックスの画像を使用者が見る視点を仮想カメラの視点と看做して、使用者の意図に応じて仮想カメラ位置を自由に変更することによって、使用者が満足する画像に近づきやすくすることができる。本発明では使用者に対する画像提示が効果的に行われる、すなわち、多くの画像を一度に見ることが出来るから、データベースの画像が比較的小数、例えば、一万画像程度であれば、質問画像による選択を省略して、使用者がコンピュータグラフィックスの画像を見る過程から始めることも可能である。
【００１０】
【発明の実施の形態】以下、本発明の実施例を説明する。
【００１１】図１は、本発明の動作モジュール構成の概念を示した図である。
【００１２】画像データベース１０１中の各画像から、原特徴量抽出モジュール１０２(プログラムモジュール)によって、原特徴量が複数抽出され、原特徴量データベース１０３に格納される。原特徴量としては、ＲＧＢもしくはＹＩＱ、ＨＩＳ等の画像の各色情報毎の値に対する量子化されたヒストグラム、エッジ微分の量子化された方向ヒストグラム等を用いる。それらの特徴量は、さまざまな解像度、場所に渡って取り出して、それぞれ別々の特徴量としてもよい。
【００１３】次に、それらの原特徴量から、描画特徴量構成モジュール１０４(プログラムモジュール)によって、描画のための特徴量（以後、描画特徴量と呼ぶ）を再構成し、描画特徴量データベース１０５に格納する。再構成のための手法として、例えば、画像の分類指標などの外的規準が与えられていない場合には、原特徴量の主成分分析を行い、第１〜第３までの主成分を特徴量として用いる。
【００１４】一方、外的規準として、画像をいくつかのクラスに分類する指標が与えられている場合には、原特徴量の判別分析等を行い、各クラスに属する画像が良く分離されて配置されるような、３つの特徴量への変換を行う。また、画像に定量的な外的規準や、複数のキーワード等が与えられている場合には、重回帰分析や正準相関分析を用いて、定量的な外的規準をよく反映したものになるような、変換後の３つの特徴量を探す。それら個別の統計解析手法を用いた実施例は後述する。
【００１５】可視化モジュール１０６(プログラムモジュール)は、各画像ごとに算出された描画特徴量を用いて、３次元座標値を算出し、それらを用いて、コンピュータグラフィックスによって構成された空間中の対応する３次元位置に画像アイコンを添付する。画像アイコン添付の詳細な方法は後述する。ここで、描画特徴量データベース１０５に格納された画像データを可視化モジュール１０６にて可視化を行う際に参照画像による検索等が介在するが、本発明はこれを省略することも可能である。
【００１６】図２は、本発明の可視化システムの実施例の概略を示した図であり、使用者の動きに連動して変化する仮想空間を、視覚的に体験できる仕組みを伴ったものとされた例である。
【００１７】２００は計算機を示し、これには、たとえば入力インターフェース装置２０３、中央処理装置２０４、外部記憶装置２０５、２１１、出力インタフェイス２０６および内部記憶装置２１０等が備えられ、システムバス２１２で結合される。外部記憶装置２０５は図１で示した各種のデータベース１０１、１０３および１０５に対応する記憶装置である。外部記憶装置２１１は図１で示したような処理および本発明の実施に必要なプログラムが格納される。ワークエリア２１０はプログラムが動くために必要なメモリエリアとして使用される。２０１はグローブ型センサ装置、２０２は磁気センサ装置であり、これらを通して使用者の手の動き、体の位置及び方向が検出される。各センサの入力は入力インターフェース装置２０３を介して、計算機２００に入力される。計算機２００に入力された各センサの出力に対応して算出されたコンピュタグラフィックスデータは映像化されて出力インタフェイス２０６を介して映像表示装置２０７に出力されて使用者に提示される。
【００１８】本発明では、使用者は仮想空間上に提示された画像アイコン配置の奥行き感を体験できるように、計算機２００が生成した画像アイコンを使用者の両眼に適当な視差を伴って表示されるから、使用者にとって、一覧性を高くすることが出来、使用者の動きに応じて表示が変わることで検索の進行具合いがわかるような表示となる。
【００１９】図３は、本発明によって使用者に提供される映像の例を示す概念図であり、使用者の動きに応じて表示が変わっていることを示す例である。図３(ａ)、(ｂ)および(ｃ)に示される表示枠３０７、３０８および３０９は使用者３０４の視野を意味しており、各表示枠には図３(ｂ)に代表して示した各画像を表す複数の画像アイコン３０１、３０２、３０３等が対応する３次元特徴量に従った座標を持つ位置に配置されている。図は、具体的には後述するが、使用者３０４が正面を向いて見た視野が表示枠３０８、使用者３０４が矢印３０５に示すように正面から少し左を向いて見た視野が表示枠３０７、および、使用者３０４が矢印３０６に示すように正面から少し右を向いて見た視野が表示枠３０９に示される。
【００２０】さらに、表示枠内に配置される画像アイコンの大きさは、画像の総枚数と、その集中具合いから算出して、過度な重なりが生じないように決定する。　・・・（中略）・・・
【００２１】先にも述べたように、本発明では、コンピュータグラフィックスの画像を使用者が見る視点を仮想カメラのファインダの視点と看做して、使用者の意図に応じて仮想カメラ位置を自由に変更することによって、使用者が満足する画像に近づきやすくすることを意図しているから、上記表示枠に配置される画像アイコンの向きは、空間固定であるよりは、そこに張り付けられた画像が仮想カメラから見えやすい向きに配置するものとするのが良い。画像アイコンとして、厚みのない板状の物体を用いる場合、その画像面の向きが空間座標に固定されたままでは、仮想カメラの位置によっては厚みのない方向を向けてしまう場合があり、一覧性が損なわれる。その現象を回避するため、全ての画像の向きは、その面が仮想カメラの視線の方向と常に垂直に向けるようにする。勿論、画像アイコンの向きの制御方法としては、全ての画像面が仮想カメラの方向を向くようにする方法、画像アイコンの縦方向を例えば（０，０，１）方向に固定して、残りの（０，０，１）軸回りの１つの回転自由度を仮想カメラの方向あるいは、仮想カメラの視線方向に合わせるという方法などが可能である。画像アイコンとして体積を持った物体を用いる場合には、その物体の各面に同じ画像を貼り付けることで、さまざまな方向からの見えを確保することも可能である。
【００２２】センサ２０１および２０２から入力インターフェイス装置２０３を介して使用者の意図を計算機２００に入力する。たとえば、初めに使用者３０４に、図３(b)の映像３０８が呈示されていたとき、矢印３０５で示すように、使用者が頭を矢印３０５のように、左に回転させると、これがセンサ２０２で検知されて、これに伴って図３(ａ)のように右側にシフトした視野の映像３０７が提示される。逆に使用者が頭を矢印３０６のように、右に回転させると、これがセンサ２０２で検知されて、これに伴って図３(ｃ)のように左側にシフトした映像３０９が提示される。また、使用者が移動しなくても、使用者がセンサ２０１をつけた手によって視野を左あるいは右にずらすように映像を右側あるいは左側に引っ張るように手を動かすと、センサ２０１はこれを検知し、計算機２００はこれに対応して、図３に示したと同様に使用者に対する映像の表示を変更できる。
【００２３】このように、本発明では、画像の見えは使用者の意図に応じた視点の移動すなわち使用者の行為に伴う仮想カメラの移動によって変化するものとなる。この実施例における仮想カメラの移動方向とその大きさは、使用者の行動をセンスすることによって行うことが出来、検知された使用者の行動（意図）に従って３次元空間中の視点と視線の向き、画面角度を変化させることができる。勿論、仮想カメラの移動は、このように使用者の移動を直接センスする代わりに、計算機のキーボードあるいはマウス等の汎用の計算機の入力装置によるデータの指定で行うことができるのは当然である。このようにして、仮想カメラの移動を繰り返すことによって、使用者は仮想カメラの移動に伴う異なった視点からの画像を探索することができる。」
　　　
（ｄ）　「　【００２４】図４は、外的規準が与えられていない場合の、原特徴量からの３つの特徴量再構成手法として、主成分分析を用いた場合の計算手順を示すＰＡＤ図である。
【００２５】いま、画像がＭ枚あったとする。それらのすべての画像に対し、各画像からステップ４０１でそれぞれ複数の原特徴量を算出を行い、それらをまとめて原特徴量ベクトルとする。
　　　・・・（中略）・・・
【００３４】次に、ステップ４０４で各画像の原特徴量ベクトルを計算し、それら３つの固有ベクトル方向へ射影した３次元ベクトルを描画特徴量とする。
　　　・・・（中略）・・・
【００３６】これによって、ばらつきが最も大きい３つの特徴量が得られる。最後に、得られた値を３次元座標とみなして、ステップ４０５で対応する位置に画像アイコンを配置する。」
　　　
（ｅ）　「　【００４０】図６は、群分けに基づいた３次元特徴量による画像提示の例を示す図である。図６（ａ）は視野６０１内に、「山の画像」「街並の画像」「川の画像」という群分けを最大にするという観点から３次元特徴量を構成し、それぞれの特徴量を持つものをまとめて領域６０３、６０４および６０５に表示した例の概念図を示したものである。また、図６（ｂ）の視野６０２は、人物の区別という別の観点から人物毎に３次元に特徴量を再構成し、領域６０６および６０７に表示した例の概念図を示したものである。これらの描画の選択は、使用者の指示に従って任意に切替えることができる。これらの選択は、汎用のキーボード等の計算機入力装置を使用するのが簡便であるが、図２の例と同様に、使用者の行動自体をセンスして行うこともできる。
【００４１】上記のような分離最大化特徴量構成手法として、例えば多群の線形判別分析を行う。
　　　・・・（中略）・・・
【００５１】次に、主成分分析の場合と同様、各画像の原特徴量ベクトルを、それら３つのベクトル方向へ射影した３次元ベクトルを描画特徴量とする。これによって、正規分布の仮定の下で、各群の画像が最も分離した配置となる３つの特徴量が得られる。最後に、得られた値を３次元座標とみなして、対応する位置に画像アイコンを配置する。」
　　　
（ｆ）　「　【００６５】
【発明の効果】本発明によれば、複数の画像が、画像内容に基づいた類似性を保ったまま使用者に呈示される。特に、３次元表示を行うことによって、使用者は最大限の視覚効率で画像データベース中の画像を一望できる。また、視点を自由に変更することによって、所望の画像にたどりつくことが容易となる。その際、視点の変更が使用者の行為あるいは指示により逐次行われることによって、探索過程の進行具合いが使用者にわかりやすく提示できる。また、複数の視点を使い分け、お互いの位置関係が相互に見えることによって、使用者が視点位置を実感でき、詳細な探索が可能になる。」
　　　
（ｇ）　上記（ｂ）の【請求項１】には「各画像データの画像またはそれらを縮小または簡約したパターンである画像アイコンを提示する」と記載され、上記（ｃ）の段落【００１８】には「計算機２００が生成した画像アイコンを　・・・（中略）・・・　表示」と記載されているから、引用例の計算機２００は各画像データを縮小または簡約して画像アイコンを生成する画像アイコン生成手段として機能する部分を有しているものであるといえる。
　　　
　そして、引用例の上記（ａ）〜（ｆ）の記載事項、上記（ｇ）の事項、及び、関連する【図１】、【図２】、【図３】、【図４】、【図６】を総合すると、引用例には、次の発明（以下、「引用発明」という。）が記載されていると認められる。
　　　
＜引用発明＞
「　画像データベース中の画像から所望の画像を検索する作業を支援する画像検索支援装置であって、
　前記画像データベース中の各々の画像から、画像アイコン（３０１，３０２，３０３）を生成する生成手段と、
　各画像の特徴量に基いて対応する画像アイコンの３次元空間内における３次元位置を決定する配置手段と、
　前記３次元空間内に配置された前記複数の画像アイコンを一括して表示する映像表示装置（２０７）とを備え、
　前記映像表示装置は、前記複数の画像アイコンが配置された３次元空間を表示する画像検索支援装置。」
　　　
　　　
４．　対比
　　　
　本願発明と引用発明とを比較すると、次のことがいえる。
　　　
（１）　引用発明における「画像」は、本願発明における「図面情報」及び「画像データ」に相当し、引用発明における「画像データベース中の画像」は、本願発明における「複数の図面情報」に相当する。
（２）　引用発明における「画像検索支援装置」は、本願発明における「図面検索支援装置」に相当する。
（３）　引用発明における「画像アイコン（３０１，３０２，３０３）」は、本願発明における「アイコン」に相当する。
（４）　引用発明における「画像の特徴量」は、本願発明における「図面情報の特徴量」に相当する。
（５）　引用発明における「３次元空間」は、本願発明における「仮想空間」に相当し、引用発明における「３次元空間内における３次元位置」は、本願発明における「仮想空間内における配置位置」に相当する。
（６）　引用発明における「映像表示装置（２０７）」は、本願発明における「表示手段」に相当する。
　　　
　すると、本願発明と引用発明とは次の点で一致する。
　　　
＜一致点＞
「　複数の図面情報の中から所望の図面情報を検索する作業を支援する図面検索支援装置であって、
　前記複数の図面情報の各々の画像データから、アイコンを生成する生成手段と、
　各図面情報の特徴量に基いて対応するアイコンの仮想空間内における配置位置を決定する配置手段と、
　前記仮想空間内に配置された前記複数の図面情報のアイコンを一括して表示する表示手段とを備え、
　前記表示手段は、前記複数の図面情報のアイコンが配置された仮想空間を表示する図面検索支援装置。」
　　　
　一方で、本願発明と引用発明とは次の点で相違する。
　　　
＜相違点１＞
　本願発明は、図面情報の種類毎にあらかじめ用意された所定のアイコン画像を格納する格納手段を有するものであるのに対し、引用発明には、当該要件に対応する事項が示されていない点。
　　　
＜相違点２＞
　本願発明は、その生成手段が、各図面情報の種類に対応するアイコン画像を、（相違点１にて挙げた）格納手段から取得し、得られたアイコン画像を用いてアイコンを生成しているとともに、部品の形状を示す線画が描画された描画領域を抽出し、抽出された描画領域内の線画の描線を強調したアイコンも生成しているのに対し、引用発明には、当該アイコン画像を用いたアイコン、及び、当該描線を強調したアイコンを生成することが示されていない点。
　　　
＜相違点３＞
　本願発明は、各アイコンの近傍に、部品の種類名、寸法、材質、または色を示す付加情報を表示するものであるのに対し、引用発明には、当該付加情報を表示することが示されていない点。
　　　
　　　
５．　判断
　　　
　上記相違点について検討する。
　　　
＜相違点１，２について＞
　アイコンに、そのアイコンに対応している画像情報の種類毎にあらかじめ用意された所定のアイコン画像を用いることは、例えば本願出願前に頒布された刊行物である特開平９−２４５０７７号公報の【図５】等に、ボルトの図面のアイコンにはボルトの部品テンプレートを用い、Ｕ字金具の図面のアイコンにはＵ字金具の部品テンプレートを用いることとして示されているように、本願出願前の周知技術であり、また、線画の描線を強調したアイコンを生成することも、例えば、原査定の拒絶の理由に引用された、本願出願前である平成１１年４月３０日に頒布された刊行物である、特開平１１−１１９９７０号公報の、段落【０００８】、【００１８】、【００２７】等に、元の画像を縮小し、エッジを強調してアイコンを生成することとして示されているように、本願出願前の周知技術であって、画像から線画が描画されている領域を抽出して処理対象とすることは、情報処理及び画像処理の分野において普通に行われていたことであり、部品は画像上の対象物となり得る周知の物品である。また、一般に、使用者の使い勝手等を考慮し、１つの装置に複数の機能を択一利用あるいは同時利用可能に設けることは、ごく普通に行われていることである。してみれば、引用発明の画像アイコンを、その画像アイコンに対応する画像情報の種類毎にあらかじめ用意された所定のアイコン画像を用いて生成したアイコンとするとともに、画像データベース中の各々の画像から、線画が描画されている領域を部品の領域として抽出し、当該抽出された領域内のエッジを強調したアイコンも生成して、必要に応じてこれらのアイコンのいずれかあるいは両方を表示することは当業者が適宜なし得たことであるといえる。よって、引用発明において、図面情報の種類毎にあらかじめ用意された所定のアイコン画像を格納する格納手段を設けるとともに、生成手段を、各図面情報の種類に対応するアイコン画像を当該格納手段から取得し、得られたアイコン画像を用いてアイコンを生成するとともに、部品の形状を示す線画が描画された描画領域を抽出し、抽出された描画領域内の線画の描線を強調したアイコンを生成するものとすることは当業者が容易になし得たことである。
　　　
＜相違点３について＞
　アイコンの近傍に、当該アイコンに対応する画像上の対象物に関する各種の情報を付加して表示することは、例えば、原査定の拒絶の理由に引用された、本願出願前である平成１３年７月１９日に頒布された刊行物である、特開２００１−１９５４１５号公報の、段落【００３１】、【００３６】、【００４１】、【００６８】、及び、【図７】、【図１１】に、アイコンの近傍に、当該アイコンに対応する画像上の対象物の色、形状、明るさ、大きさ、及び、対象物の名称を表示することとして示されているように、本願出願前の周知技術であり、また、部品は画像上の対象物となり得る物であるから、引用発明において、その画像アイコンの近傍に当該画像アイコンに対応する画像上の部品に関する、例えば色、形状、明るさ、大きさ、及び、名称といった各種の情報を付加して表示することは、当業者が適宜なし得たことである。してみると、引用発明において、各アイコンの近傍に、部品の種類名、寸法、材質、または色を示す付加情報を表示することは当業者が容易になし得たことである。
　　　
　また、本願発明の構成によってもたらされる効果は、引用発明及び周知技術から当業者であれば予測することができた程度のものであって、格別のものとも認められない。
　　　
　したがって、本願発明は、引用発明及び周知技術に基づいて当業者が容易に発明をすることができたものである。
　　　
　　　
６．　むすび
　　　
　以上のとおり、本願発明は、引用発明及び周知技術に基づいて当業者が容易に発明をすることができたものであるから、特許法第２９条第２項の規定により特許を受けることができないものである。
　したがって、本願は拒絶すべきものである。
　よって、結論のとおり審決する。